(57)【特許請求の範囲】
【請求項１】
物体側から像側へ順に、正の屈折力を有する第１レンズ群Ｌ１と、負の屈折力を有する第２レンズ群Ｌ２と、正の屈折力を有する第３レンズ群Ｌ３と、正の屈折力を有する第４レンズ群Ｌ４と、正の屈折力を有する第５レンズ群Ｌ５と、から成り、
広角側から望遠側のズーミングにおいて、前記第１レンズ群Ｌ１と、前記第５レンズ群Ｌ５は像面に対して固定であり、物体距離無限遠から近距離へのフォーカシングに際しては、前記第３レンズ群Ｌ３が光軸に沿って像側へ移動し、前記第５レンズ群Ｌ５内の一部を略垂直方向に移動させることで像を光軸に対して垂直方向に移動することが可能であり、以下の条件式を満足することを特徴とする防振機能を有する望遠ズームレンズ。
１．２１＜｜βｂ３ｔ＾２・（β３ｔ＾２−１）｜＜６．５０        （１）
β３ｔ：前記第３レンズ群Ｌ３の望遠端における物体距離無限遠での横倍率
βｂ３ｔ：前記第３レンズ群Ｌ３より像側に位置するレンズ系の望遠端における物体距離
【請求項２】
以下の条件式を満足することを特徴とする請求項１に記載の防振機能を有する望遠
ズームレンズ。
２．６０＜｜β３ｔ｜＜１１．９５        （２）
【請求項３】
前記第５レンズ群Ｌ５は、物体側から像側へ順に、正の屈折力を有する第５ａレンズ成分Ｌ５ａと、負の屈折力を有する第５ｂレンズ成分Ｌ５ｂと、正の屈折力を有する第５ｃレンズ成分Ｌ５ｃと、から成り、前記第５ｂレンズ成分Ｌ５ｂを光軸に対して略垂直方向に移動させることで像を光軸に対して垂直方向に移動することが可能であり、以下の条件式を満足することを特徴とする請求項１又は２に記載の防振機能を有する望遠ズームレンズ。
０．３９＜｜βｂ５ｂ・（１−β５ｂ）｜＜２．３４        （３）
β５ｂ：前記レンズ成分Ｌ５ｂの物体距離無限遠での横倍率
βｂ５ｂ：前記レンズ成分Ｌ５ｂより像側に位置するレンズ系の物体距離無限遠での横倍率
【請求項４】
以下の条件式を満足することを特徴とする請求項１乃至３のいずれかに記載の防振機能を有する望遠ズームレンズ。
０．４９＜｜β２ｔ｜＜１．２６        （４）
β２ｔ：前記第２レンズ群Ｌ２の望遠端における物体距離無限遠での横倍率
【発明の詳細な説明】
【技術分野】
【０００１】
本発明は、デジタルカメラ、銀塩カメラ及びビデオカメラ等に最適であり、ズーム比が３倍程度であり、ズーミングに際してＦ値が固定の防振機能を有する望遠ズームレンズに関する。
【背景技術】
【０００２】
ズーム比が３倍程度であり、ズーミングに際してＦ値が固定の防振機能を有する望遠ズームレンズとして、例えば以下の特許文献が挙げられる。
【先行技術文献】
【特許文献】
【０００３】
【特許文献１】特開２０１０−４４３７２号公報
【特許文献２】特許第３５６４０６１号公報
【特許文献３】特開２００９−１９８６５６号公報
【発明の概要】
【発明が解決しようとする課題】
【０００４】
しかしながら、特許文献１が開示する、ズーム比が３倍程度であり、ズーミングに際してＦ値が固定の防振機能を有する望遠ズームレンズは、フォーカシング時の性能変動、特に、像面湾曲及び球面収差の変動が大きいという課題がある。
【０００５】
また、特許文献２及び３記載の、ズーム比が３倍程度であり、ズーミングに際してＦ値が固定の防振機能を有する望遠ズームレンズは、フォーカシング時の収差変動は比較的抑えられているが、光線高がレンズ全系のうち比較的高い前側にフォーカスレンズを配置しているため、フォーカスレンズ群が大型化してしまう傾向にあった。
【０００６】
そこで本発明は、以下に示す手段により、フォーカスレンズ群を大型化せずに、フォーカシング時の性能変動を抑え、良好な光学性能を得ることが可能な、ズーム比が３倍程度であり、ズーミングに際してＦ値が固定の、防振機能を有する望遠ズームレンズを提供する。
【課題を解決するための手段】
【０００７】
本発明の防振機能を有する望遠ズームレンズは、物体側から像側へ順に、正の屈折力を有する第１レンズ群Ｌ１と、負の屈折力を有する第２レンズ群Ｌ２と、正の屈折力を有する第３レンズ群Ｌ３と、正の屈折力を有する第４レンズ群Ｌ４と、正の屈折力を有する第５レンズ群Ｌ５と、から成り、広角側から望遠側のズーミングにおいて、前記第１レンズ群Ｌ１と、前記第５レンズ群Ｌ５は像面に対して固定であり、物体距離無限遠から近距離へのフォーカシングに際しては、前記第３レンズ群Ｌ３が光軸に沿って像側へ移動し、前記第５レンズ群Ｌ５内の一部を略垂直方向に移動させることで像を光軸に対して垂直方向に移動することが可能であり、以下の条件式を満足することを特徴とする防振機能を有する望遠ズームレンズである。
１．２１＜｜βｂ３ｔ＾２・（β３ｔ＾２−１）｜＜６．５０        （１）
β３ｔ：前記第３レンズ群Ｌ３の望遠端における物体距離無限遠での横倍率
βｂ３ｔ：前記第３レンズ群Ｌ３より像側に位置するレンズ系の望遠端における物体距離無限遠での横倍率
【０００９】
また、本発明の防振機能を有する望遠ズームレンズは、以下の条件式を満足することを特徴とする。
２．６０＜｜β３ｔ｜＜１１．９５        （２）
β３ｔ：前記第３レンズ群Ｌ３の望遠端における物体距離無限遠での横倍率
【００１０】
また、本発明の防振機能を有する望遠ズームレンズにおいて、前記第５レンズ群Ｌ５は、物体側から像側へ順に、正の屈折力を有する第５ａレンズ成分Ｌ５ａと、負の屈折力を有する第５ｂレンズ成分Ｌ５ｂと、正の屈折力を有する第５ｃレンズ成分Ｌ５ｃと、から成り、前記第５ｂレンズ成分Ｌ５ｂを光軸に対して略垂直方向に移動させることで像を光軸に対して垂直方向に移動することが可能であり、以下の条件式を満足することを特徴とする。
０．３９＜｜βｂ５ｂ・（１−β５ｂ）｜＜２．３４        （３）
β５ｂ：前記レンズ成分Ｌ５ｂの物体距離無限遠での横倍率
βｂ５ｂ：前記レンズ成分Ｌ５ｂより像側に位置するレンズ系の物体距離無限遠での横倍率
【００１１】
また、本発明の防振機能を有する望遠ズームレンズは、以下の条件式を満足することを特徴とする。
０．４９＜｜β２ｔ｜＜１．２６        （４）
β２ｔ：前記第２レンズ群Ｌ２の望遠端における物体距離無限遠での横倍率
【発明の効果】
【００１２】
本発明により、フォーカスレンズを大型化することなく、フォーカシング時の性能変動を抑えた良好な光学性能を得ることが可能な、防振機能を有する望遠ズームレンズを提供することが可能となる。
【図面の簡単な説明】
【００１３】
【図１】本発明の実施例１に係る広角端の物体距離無限遠におけるレンズ構成図
【図２】本発明の実施例１に係る広角端の物体距離無限遠における縦収差図
【図３】本発明の実施例１に係る広角端の撮影倍率４０倍における縦収差図
【図４】本発明の実施例１に係る望遠端の物体距離無限遠における縦収差図
【図５】本発明の実施例１に係る望遠端の撮影倍率４０倍における縦収差図
【図６】本発明の実施例１に係る広角端の物体距離無限遠における横収差図
【図７】本発明の実施例１に係る広角端の撮影倍率４０倍における横収差図
【図８】本発明の実施例１に係る望遠端の物体距離無限遠における横収差図
【図９】本発明の実施例１に係る望遠端の撮影倍率４０倍における横収差図
【図１０】本発明の実施例１に係る広角端の物体距離無限遠における０．４°手振れ補正時の横収差図
【図１１】本発明の実施例１に係る望遠端の物体距離無限遠における０．３°手振れ補正時の横収差図
【図１２】本発明の実施例２に係る広角端の物体距離無限遠におけるレンズ構成図
【図１３】本発明の実施例２に係る広角端の物体距離無限遠における縦収差図
【図１４】本発明の実施例２に係る広角端の撮影倍率４０倍における縦収差図
【図１５】本発明の実施例２に係る望遠端の物体距離無限遠における縦収差図
【図１６】本発明の実施例２に係る望遠端の撮影倍率４０倍における縦収差図
【図１７】本発明の実施例２に係る広角端の物体距離無限遠における横収差図
【図１８】本発明の実施例２に係る広角端の撮影倍率４０倍における横収差図
【図１９】本発明の実施例２に係る望遠端の物体距離無限遠における横収差図
【図２０】本発明の実施例２に係る望遠端の撮影倍率４０倍における横収差図
【図２１】本発明の実施例２に係る広角端の物体距離無限遠における０．４°手振れ補正時の横収差図
【図２２】本発明の実施例２に係る望遠端の物体距離無限遠における０．３°手振れ補正時の横収差図
【図２３】本発明の実施例３に係る広角端の物体距離無限遠におけるレンズ構成図
【図２４】本発明の実施例３に係る広角端の物体距離無限遠における縦収差図
【図２５】本発明の実施例３に係る広角端の撮影倍率４０倍における縦収差図
【図２６】本発明の実施例３に係る望遠端の物体距離無限遠における縦収差図
【図２７】本発明の実施例３に係る望遠端の撮影倍率４０倍における縦収差図
【図２８】本発明の実施例３に係る広角端の物体距離無限遠における横収差図
【図２９】本発明の実施例３に係る広角端の撮影倍率４０倍における横収差図
【図３０】本発明の実施例３に係る望遠端の物体距離無限遠における横収差図
【図３１】本発明の実施例３に係る望遠端の撮影倍率４０倍における横収差図
【図３２】本発明の実施例３に係る広角端の物体距離無限遠における０．４°手振れ補正時の横収差図
【図３３】本発明の実施例３に係る望遠端の物体距離無限遠における０．３°手振れ補正時の横収差図
【図３４】本発明の実施例４に係る広角端の物体距離無限遠におけるレンズ構成図
【図３５】本発明の実施例４に係る広角端の物体距離無限遠における縦収差図
【図３６】本発明の実施例４に係る広角端の撮影倍率４０倍における縦収差図
【図３７】本発明の実施例４に係る望遠端の物体距離無限遠における縦収差図
【図３８】本発明の実施例４に係る望遠端の撮影倍率４０倍における縦収差図
【図３９】本発明の実施例４に係る広角端の物体距離無限遠における横収差図
【図４０】本発明の実施例４に係る広角端の撮影倍率４０倍における横収差図
【図４１】本発明の実施例４に係る望遠端の物体距離無限遠における横収差図
【図４２】本発明の実施例４に係る望遠端の撮影倍率４０倍における横収差図
【図４３】本発明の実施例４に係る広角端の物体距離無限遠における０．４°手振れ補正時の横収差図
【図４４】本発明の実施例４に係る望遠端の物体距離無限遠における０．３°手振れ補正時の横収差図
【図４５】本発明の実施例５に係る広角端の物体距離無限遠におけるレンズ構成図
【図４６】本発明の実施例５に係る広角端の物体距離無限遠における縦収差図
【図４７】本発明の実施例５に係る広角端の撮影倍率４０倍における縦収差図
【図４８】本発明の実施例５に係る望遠端の物体距離無限遠における縦収差図
【図４９】本発明の実施例５に係る望遠端の撮影倍率４０倍における縦収差図
【図５０】本発明の実施例５に係る広角端の物体距離無限遠における横収差図
【図５１】本発明の実施例５に係る広角端の撮影倍率４０倍における横収差図
【図５２】本発明の実施例５に係る望遠端の物体距離無限遠における横収差図
【図５３】本発明の実施例５に係る望遠端の撮影倍率４０倍における横収差図
【図５４】本発明の実施例５に係る広角端の物体距離無限遠における０．４°手振れ補正時の横収差図
【図５５】本発明の実施例５に係る望遠端の物体距離無限遠における０．３°手振れ補正時の横収差図
【図５６】本発明の実施例６に係る広角端の物体距離無限遠におけるレンズ構成図
【図５７】本発明の実施例６に係る広角端の物体距離無限遠における縦収差図
【図５８】本発明の実施例６に係る広角端の撮影倍率４０倍における縦収差図
【図５９】本発明の実施例６に係る望遠端の物体距離無限遠における縦収差図
【図６０】本発明の実施例６に係る望遠端の撮影倍率４０倍における縦収差図
【図６１】本発明の実施例６に係る広角端の物体距離無限遠における横収差図
【図６２】本発明の実施例６に係る広角端の撮影倍率４０倍における横収差図
【図６３】本発明の実施例６に係る望遠端の物体距離無限遠における横収差図
【図６４】本発明の実施例６に係る望遠端の撮影倍率４０倍における横収差図
【図６５】本発明の実施例６に係る広角端の物体距離無限遠における０．４°手振れ補正時の横収差図
【図６６】本発明の実施例６に係る望遠端の物体距離無限遠における０．３°手振れ補正時の横収差図
【図６７】本発明の実施例７に係る広角端の物体距離無限遠におけるレンズ構成図
【図６８】本発明の実施例７に係る広角端の物体距離無限遠における縦収差図
【図６９】本発明の実施例７に係る広角端の撮影倍率４０倍における縦収差図
【図７０】本発明の実施例７に係る望遠端の物体距離無限遠における縦収差図
【図７１】本発明の実施例７に係る望遠端の撮影倍率４０倍における縦収差図
【図７２】本発明の実施例７に係る広角端の物体距離無限遠における横収差図
【図７３】本発明の実施例７に係る広角端の撮影倍率４０倍における横収差図
【図７４】本発明の実施例７に係る望遠端の物体距離無限遠における横収差図
【図７５】本発明の実施例７に係る望遠端の撮影倍率４０倍における横収差図
【図７６】本発明の実施例７に係る広角端の物体距離無限遠における０．４°手振れ補正時の横収差図
【図７７】本発明の実施例７に係る望遠端の物体距離無限遠における０．３°手振れ補正時の横収差図
【発明を実施するための形態】
【００１４】
以下、本発明の実施形態に係る防振機能を有する望遠ズームレンズについて説明する。なお、明細書において、「レンズ成分」とは、単レンズや接合レンズやレンズの集合を含む広い概念である。従って、１つのレンズ成分とは、その最も広い概念においては１つのレンズ群と同じである。
【００１５】
本発明の防振機能を有する望遠ズームレンズは、物体側から像側へ順に、正の屈折力を有する第１レンズ群Ｌ１と、負の屈折力を有する第２レンズ群Ｌ２と、正の屈折力を有する第３レンズ群Ｌ３と、正の屈折力を有する第４レンズ群Ｌ４と、正の屈折力を有する第５レンズ群Ｌ５と、から成り、広角側から望遠側のズーミングにおいて、前記第１レンズ群Ｌ１と、前記第５レンズ群Ｌ５は像面に対して固定であり、物体距離無限遠から近距離へのフォーカシングに際しては、前記第３レンズ群Ｌ３が光軸に沿って像側へ移動し、前記第５レンズ群Ｌ５内の一部を略垂直方向に移動させることで像を光軸に対して垂直方向に移動することが可能であることを特徴とする。
【００１６】
また、本発明の防振機能を有する望遠ズームレンズは、以下の条件式を満足することを特徴とする。
１．２１＜｜βｂ３ｔ＾２・（β３ｔ＾２−１）｜＜６．５０      （１）
β３ｔ：前記第３レンズ群Ｌ３の望遠端における物体距離無限遠での横倍率
βｂ３ｔ：前記第３レンズ群Ｌ３より像側に位置するレンズ系の望遠端における物体距離無限遠での横倍率
【００１７】
条件式（１）は、フォーカス時の最適な移動量を決定するために、フォーカス敏感度を規定したものである。
【００１８】
フォーカス敏感度ｋは、フォーカス群の光軸に沿った移動量Δｓに対する像面移動量Δｆｂの比であり、以下の（参考式ａ）で表すことができる。
（参考式ａ）    ｋ＝Δｆｂ／Δｓ＝βｂｆ＾２×（βｆ＾２−１）
ｋ：フォーカス敏感度
Δｆｂ：像面移動量
Δｓ：フォーカス群の光軸に沿った移動量
βｂｆ：物体距離無限遠でのフォーカス群以降のレンズ系の横倍率
βｆ：物体距離無限遠でのフォーカス群の横倍率
【００１９】
（参考式ａ）から、フォーカス群の横倍率βｆが等倍から離れるにつれ、フォーカス敏感度ｋが大きくなることがわかる。フォーカス敏感度ｋが大きくなるということは、同じ像面移動量Δｆｂに対するフォーカス群の光軸に沿った移動量Δｓを小さくできることになるため、移動量Δｓが小さくなる分、全長方向を小型化することができる。
【００２０】
条件式（１）の上限値を超え、フォーカス敏感度が大きくなると、前述の通り、フォーカス群の移動量が抑えられるため、小型化には有利になるが、フォーカス時の球面収差、非点収差変動が大きくなるだけでなく、製造誤差による性能劣化が大きくなるため、所望の光学性能を確保することが困難となる。
【００２１】
条件式（１）の下限値を超え、フォーカス敏感度が小さくなると、フォーカス時の移動量が増大し、レンズ全系の全長が長くなるため、小型化が困難となる。
【００２２】
なお、上述した条件式（１）について、その下限値は１．４０に、また上限値をさらに５．５０に規定することで、前述の効果をより確実にすることができる。
【００２３】
また、本発明の防振機能を有する望遠ズームレンズは、以下の条件式を満足することを特徴とする。
２．６０＜｜β３ｔ｜＜１１．９５        （２）
β３ｔ：前記第３レンズ群Ｌ３の望遠端における物体距離無限遠での横倍率
【００２４】
条件式（２）は高性能化と、ウォブリング時の像高の変化率を抑えるために、前記第３レンズ群Ｌ３の望遠端における物体距離無限遠での横倍率を規定したものである。
【００２５】
ウォブリングとは、フォーカシングの際、合焦のずれ方向を検出するために、フォーカス群を光軸方向の前後に微小駆動させることである。ウォブリングの際の像高変化率が大きいと、鑑賞者が、フォーカシングしている際の像の倍率変化を認識してしまうため、目障りとなってしまう。従って、ウォブリング時の像高変化率は小さくする必要がある。
【００２６】
像高をｙ、ウォブリング時の像高変化量をΔｙ，ウォブリング時のデフォーカス量をΔｄｅｆとすると、像高変化率は、係数Ｋｗ＝Δｙ／（ｙ・Δｄｅｆ）で表すことができる。この関係式から、係数Ｋｗが大きいほど、ウォブリング時の像高変化率は大きくなることが分かる。
【００２７】
また、係数Ｋｗは以下の（参考式ｂ）にて近似的に表すことができる。
（参考式ｂ）    Ｋｗ＝（βｆ／Ｆｆ・Ｋｆ）−（Ｆｂ・βｂｆ）＾−１−（ｔａｎθ／ｙ）
βｆ：フォーカス群の横倍率
Ｆｆ：フォーカス群の焦点距離
Ｋｆ：フォーカス群のフォーカス敏感度であり、（参考式ａ）で表される量
Ｆｂ：フォーカス群以降のレンズ系の焦点距離
βｂｆ：フォーカス群以降のレンズ系の横倍率
θ：最大光線高の主光線の光軸を基準とした像面に入射する角度
ｙ：最大像高
【００２８】
（参考式ｂ）より、係数Ｋｗとフォーカス群の横倍率βｆは比例関係にあることがわかる。従って、フォーカス群の横倍率βｆが大きくなると、係数Ｋｗも大きくなるため、前述の通り、ウォブリング時の像高変化率は増大してしまう。そのため、ウォブリング時の像高変化率を小さくするには、フォーカス群の横倍率βｆを小さくする必要がある。
【００２９】
条件式（１）で規定したフォーカス敏感度を確保しつつ、条件式（２）の上限値を超え、第３レンズ群Ｌ３の横倍率が大きくなると、フォーカス群である第３レンズ群Ｌ３の倍率負担が大きくなるため、（参考式ｂ）の関係式より、ウォブリング時の像高変化率が大きくなる。
【００３０】
条件式（１）で規定したフォーカス敏感度を確保しつつ、条件式（２）の下限値を超え、第３レンズ群Ｌ３の横倍率が小さくなると、フォーカス群である第３レンズ群Ｌ３の倍率負担が小さくなるため、ウォブリング時の像高変化率は小さくなるが、第３レンズ群Ｌ３以降での倍率負担が大きくなり、屈折力が大きくなるため、製造誤差による性能劣化が増大し、これを良好に補正することが困難となる。
【００３１】
なお、上述した条件式（２）について、その下限値は２．７０に、また上限値をさらに１０．１２に規定することで、前述の効果をより確実にすることができる。
【００３２】
また、本発明の防振機能を有する望遠ズームレンズは、前記第５レンズ群Ｌ５は、物体側から像側へ順に、正の屈折力を有する第５ａレンズ成分Ｌ５ａと、負の屈折力を有する第５ｂレンズ成分Ｌ５ｂと、正の屈折力を有する第５ｃレンズ成分Ｌ５ｃと、から成り、前記第５ｂレンズ成分Ｌ５ｂを光軸に対して略垂直方向に移動させることで像を光軸に対して垂直方向に移動することが可能であり、以下の条件式を満足することを特徴とする。
０．３９＜｜βｂ５ｂ・（１−β５ｂ）｜＜２．３４        （３）
β５ｂ：前記レンズ成分Ｌ５ｂの物体距離無限遠での横倍率
βｂ５ｂ：前記レンズ成分Ｌ５ｂより像側に位置するレンズ系の物体距離無限遠での横倍率
【００３３】
条件式（３）は防振群の最適な移動量を決定するために、防振群の防振係数を規定したものである。
【００３４】
防振係数ｋｏｓは防振群の移動量Δｘに対する像面での像ブレ補正量Δｙの比であり、以下の（参考式ｃ）で表すことができる。
（参考式ｃ）    ｋｏｓ＝Δｙ／Δｘ＝βｂｏｓ×（１−βｏｓ）
ｋｏｓ：防振係数
Δｙ：像面での像ブレ補正量
Δｘ：防振群の移動量
βｂｏｓ：防止群以降のレンズ系の横倍率
βｏｓ：防振群の横倍率
【００３５】
（参考式ｃ）から、防振群の横倍率βｏｓが等倍から離れると、防振係数ｋｏｓは大きくなることがわかる。防振係数ｋｏｓが大きくなることで、同じ像ブレ補正量Δｙに対して、防振群の移動量Δｘを小さくできるため、移動量Δｘを小さくした分、防振ユニット径を小さくでき、製品径の小型化に有利になる。
【００３６】
条件式（３）の上限値を超え、防振係数が大きくなると、前述のとおり、小型化には有利になるが、防振時の偏芯コマ収差や倍率色収差変動が大きくなり、これを良好に補正することが困難となる。
【００３７】
条件式（３）の下限値を超え、防振係数が小さくなると、防振時の収差変動は抑えやすくなるが、防振群の移動量が大きくなるため、防振ユニット径が増大し、製品径の小型化が困難となる。
【００３８】
なお、上述した条件式（３）について、その下限値は０．４６に、また上限値をさらに２．００に規定することで、前述の効果をより確実にすることができる。
【００３９】
また、本発明の防振機能を有する望遠ズームレンズは、以下の条件式を満足することを特徴とする。
０．４９＜｜β２ｔ｜＜１．２６        （４）
β２ｔ：前記第２レンズ群Ｌ２の望遠端における物体距離無限遠での横倍率
【００４０】
条件式（４）は、小型化と高性能化を両立させるために、第２レンズ群Ｌ２の望遠端での横倍率を規定したものである。
【００４１】
条件式（４）の下限値を超え、第２レンズ群Ｌ２の横倍率が小さくなると、ズーミング時の移動量が増加し、レンズ全系の全長が増大してしまい、小型化が困難となる。
【００４２】
条件式（４）の上限値を超え、第２レンズ群Ｌ２の横倍率が大きくなると、望遠端において、第１レンズ群で発生する収差、特に、軸上色収差、球面収差が、第２レンズ群Ｌ２によって、より拡大されることとなる。このため、この第２レンズ群で拡大された収差を補正するために、第２レンズ群以降の群でこの収差を打ち消すよう収差を発生させる必要があるため、特に、望遠端での高性能化がより困難となる。
【００４３】
なお、上述した条件式（４）について、その下限値は０．５８に、また上限値をさらに１．２４に規定することで、前述の効果をより確実にすることができる。
【００４４】
また、前記第４レンズ群Ｌ４は、物体側から像側へ順に、正の屈折力を有するレンズ成分Ｌ４ｆと、物体側の面が物体面に対して凹面である負の屈折力を有するレンズ成分Ｌ４ｒとから成る、若しくは、物体側から像側へ順に、凸レンズと凹レンズの接合から成る、ことが好ましい。
【００４５】
前記第４レンズ群Ｌ４を前述のような構成にすることで、正の屈折力を有するレンズ成分と、負の屈折力を有する成分の間で球面収差や軸上色収差が相殺されるため、特に望遠端側でより効果的に、第４レンズ群Ｌ４全体で発生する球面収差や軸上色収差を抑えることができる。
【００４６】
また、本発明の防振機能を有する望遠ズームレンズは、以下の条件式で規定したズーム比を満足することが好ましい。
２．４＜ｆｔ／ｆｗ＜３．８        （５）
ｆｔ：望遠端における物体距離無限遠でのレンズ全系の焦点距離
ｆｗ：広角端における物体距離無限遠でのレンズ全系の焦点距離
【００４７】
条件式（５）は、ズーム比を規定したものである。
【００４８】
条件式（５）の下限値を下回ると、所望のズーム比を得られなくなる。上限値を超え、ズーム比が大きくなると、変倍系の倍率負担が大きくなり、所望の光学性能が得られなくなるだけでなく、変倍系前後のズーム間隔の増大にもつながるため、光学系全体の大型化を招いてしまう。
【００４９】
なお、上述した条件式（５）について、その下限値は２．６０に、また上限値をさらに３．５０に規定することで、前述の効果をより確実にすることができる。
【００５０】
以下、数値実施例に係る防振機能を有する望遠ズームレンズに係る実施例１乃至７の数値データを示す。
【００５１】
［面データ］において、面番号は物体側から数えたレンズ面又は開口絞りの番号、ｒは各面の曲率半径、ｄは各面の間隔、ｎｄはｄ線（波長λ＝５８７．５６ｎｍ）に対する屈折率、νｄはｄ線に対するアッベ数を示す。またＢＦはバックフォーカスを表す。
【００５２】
面番号を付した（絞り）には、平面または開口絞りに対する曲率半径∞（無限大）を記入している。
【００５３】
［各種データ］には、各焦点距離状態における焦点距離等の値を示している。
【００５４】
［可変間隔データ］には、各焦点距離状態における可変間隔及びＢＦ（バックフォーカス）の値を示している。
【００５５】
［レンズ群データ］には、各レンズ群を構成する最も物体側の面番号及び群全体の合成焦点距離を示している。
【００５６】
なお、以下の全ての諸元の値において、記載している焦点距離ｆ、曲率半径ｒ、レンズ面間隔ｄ、その他の長さの単位は特記の無い限りミリメートル（ｍｍ）を使用するが、光学系では比例拡大と比例縮小とにおいても同等の光学性能を得られるので、これに限るものではない。
【００５７】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。
【００５８】
さらに図１、１２、２３、３４、４５，５６、６７に示すレンズ構成図において、Ｉは像面、ＬＰＦはローパスフィルター、中心を通る一点鎖線は光軸である。
【００５９】
以下に、各実施例に係る防振機能を有する望遠ズームレンズの諸元値を示す。［面データ］において、第１列は物体側から数えたレンズ面の順番、第２列のｒはレンズ面の曲率半径、第３列ｄはレンズ面間隔、第４列ｎｄはｄ線（波長λ＝５８７．５６ｎｍ）での屈折率、第５列νｄはｄ線（波長λ＝５８７．５６ｎｍ）でのアッベ数を表す。またｒ＝∞は平面を表し、（ＢＦ）はバックフォーカス、（絞り）は絞り面を示し、空気の屈折率ｎ＝１．００００はその記載を省略する。
【実施例１】
【００６０】
図１は実施例１に係る防振機能を有する望遠ズームレンズの広角端での無限遠合焦時におけるレンズ構成図である。
【００６１】
図１の防振機能を有する望遠ズームレンズは、物体側から像側へ順に、広角端から望遠端へのズーミングの際に像面に対して固定の正の屈折力の第１レンズ群Ｌ１と、負の屈折力を有する第２レンズ群Ｌ２と、フォーカス時に像面側へ移動する正の屈折力を有する第３レンズ群Ｌ３と、正の屈折力を有する第４レンズ群Ｌ４と、開口絞りＳと、広角端から望遠端へのズーミングの際に像面に対して固定の正の屈折力の第５レンズ群Ｌ５とから構成される。
【００６２】
第１レンズ群Ｌ１は、物体側から像側へ順に、物体側に凸面を向けた凹メニスカスレンズと両凸レンズと、物体側に凸面を向けた凸メニスカスレンズと、物体側に凸面を向けた凸メニスカスレンズとで構成される。
【００６３】
第２レンズ群Ｌ２は、物体側から像側へ順に、両凸レンズと両凹レンズの接合レンズと、両凹レンズと物体側に凸面を向けた凸メニスカスレンズの接合レンズと、両凹レンズとで構成される。
【００６４】
第３レンズ群Ｌ３は、物体側から像側へ順に、両凸レンズと、両凸レンズと両凹レンズの接合レンズとで構成される。
【００６５】
第４レンズ群Ｌ４は、物体側から像側へ順に、両凸レンズと、両凹レンズとで構成される。
【００６６】
第５レンズ群Ｌ５は、物体側から像側へ順に、両凸レンズと、物体側に凸面を向けた凸メニスカスレンズと、それぞれ物体側に凸面を向けた凹メニスカスレンズと凸メニスカスレンズの接合レンズとから構成されるレンズ成分Ｌ５ａと、両凸レンズと両凹レンズの接合レンズと、両凹レンズとから構成され、光軸と略垂直方向に動かすことで防振を行うレンズ成分Ｌ５ｂと、両凸レンズと、両凸レンズと、物体側に凹面を向けた凹メニスカスレンズと、物体側に凹面を向けた凸メニスカスレンズとから構成されるレンズ成分Ｌ５ｃ、とから構成される。
【００６７】
続いて、以下に実施例１に係る防振機能を有する望遠ズームレンズの諸元値を示す。
【００６８】
単位：mm
[面データ]
面番号      r         d         nd       vd
物面       ∞       (d0)
1     320.9564   2.5001   1.701540   41.15
2      92.9685   1.0166
3      90.5436  10.4875   1.437000   95.10
4    -517.3094   0.0999
5     131.2148   5.9059   1.437000   95.10
6    1765.7095   0.1000
7      80.8598   8.2818   1.437000   95.10
8     719.6553     d8
9     571.9791   5.0019   1.910820   35.25
10     -59.6976   1.5000   1.729160   54.67
11      54.0233   3.7874
12   -7920.8413   1.5000   1.620410   60.34
13      37.6933   4.0201   1.846660   23.78
14      90.0809   4.6647
15     -50.4877   1.5000   1.834810   42.72
16     175.1500     d16
17     241.2259   4.6801   1.772500   49.62
18     -74.5200   0.1000
19     117.7652   3.4988   1.806100   40.73
20   -2751.8787   1.5000   1.846660   23.78
21     100.4374     d21
22      78.8269   4.2005   1.806100   33.27
23    -297.0148   1.9658
24     -69.1862   1.5000   1.806100   33.27
25    1850.1920     d25
(絞り)       ∞     3.3664
27      54.0807   6.4015   1.729160   54.67
28   -1399.4113   0.7435
29      40.6750   5.2672   1.437000   95.10
30     228.6055   0.6343
31     136.7370   1.5000   1.806100   33.27
32      25.9552   7.6955   1.437000   95.10
33     234.7050   2.2245
34      78.7634   3.1011   1.805180   25.46
35    -324.4353   0.9500   1.516800   64.20
36      33.5942   3.9793
37    -119.6508   0.9500   1.698950   30.05
38      92.9496   2.2413
39      97.0844   4.2678   1.593490   67.00
40    -100.1899   0.2000
41      85.2607   4.2090   1.437000   95.10
42    -279.0081   5.8541
43     -33.2997   1.6439   1.785900   43.93
44    -132.4959   3.8427
45  -13541.2201   5.1314   1.805180   25.46
46     -61.9423  53.5495
47         ∞     1.4500   1.523014   58.59
48         ∞      (BF)
像面        ∞
[各種データ]
ズーム比   2.67
広角        中間        望遠
焦点距離       72.41      118.50      193.38
Fナンバー       2.92        2.92        2.92
全画角2ω      33.58       20.51       12.56
像高Y        21.63       21.63       21.63
レンズ全長    250.00      250.00      250.00
[可変間隔データ]
広角        中間        望遠
d0          ∞          ∞          ∞
d8        2.4673     27.8533     45.4120
d16       17.2479     12.2565      2.1799
d21       12.7044      6.2139     11.3938
d25       29.5661     15.6620      3.0000
BF        1.0000      1.0000      1.0000
d0     2752.8634   5152.8018   7252.7468
d8        2.4673     27.8533     45.4120
d16       18.0844     13.3127      4.0895
d21       11.8678      5.1579      9.4841
d25       29.5661     15.6620      3.0000
BF        1.0000      1.0000      1.0000
[レンズ群データ]
群         始面      焦点距離
L1           1        121.41
L2           9        -27.86
L3          17         80.86
L4          22        723.14
L5          27         82.67
L5a         27         69.25
L5b         34        -58.16
L5C         39         70.35
【実施例２】
【００６９】
図１２は実施例２に係る防振機能を有する望遠ズームレンズの広角端での無限遠合焦時におけるレンズ構成図である。
【００７０】
図１２の防振機能を有する望遠ズームレンズは、物体側から像側へ順に、広角端から望遠端へのズーミングの際に像面に対して固定の正の屈折力の第１レンズ群Ｌ１と、負の屈折力を有する第２レンズ群Ｌ２と、フォーカス時に像面側へ移動する正の屈折力を有する第３レンズ群Ｌ３と、正の屈折力を有する第４レンズ群Ｌ４と、開口絞りＳと、広角端から望遠端へのズーミングの際に像面に対して固定の正の屈折力の第５レンズ群Ｌ５とから構成される。
【００７１】
第１レンズ群Ｌ１は、物体側から像側へ順に、物体側に凸面を向けた凹メニスカスレンズと両凸レンズと、物体側に凸面を向けた凸メニスカスレンズと、物体側に凸面を向けた凸メニスカスレンズとで構成される。
【００７２】
第２レンズ群Ｌ２は、物体側から像側へ順に、両凸レンズと両凹レンズの接合レンズと、両凹レンズと物体側に凸面を向けた凸メニスカスレンズの接合レンズと、両凹レンズとで構成される。
【００７３】
第３レンズ群Ｌ３は、物体側から像側へ順に、両凸レンズと、それぞれ物体側に凸面を向けた凸メニスカスレンズと凹メニスカスレンズの接合レンズとから構成される。
【００７４】
第４レンズ群Ｌ４は、物体側から像側へ順に、両凸レンズと両凹レンズの接合レンズから構成される。
【００７５】
第５レンズ群Ｌ５は、物体側から像側へ順に、物体側に凸面を向けた凸メニスカスレンズと、物体側に凸面を向けた凸メニスカスレンズと、それぞれ物体側に凸面を向けた凹メニスカスレンズと凸メニスカスレンズの接合レンズとから構成されるレンズ成分Ｌ５ａと、物体側に凹面を向けた凸メニスカスレンズと両凹レンズの接合レンズと、物体側に凸面を向けた凹メニスカスレンズとから構成され、光軸と略垂直方向に動かすことで防振を行うレンズ成分Ｌ５ｂと、両凸レンズと、物体側に凹面を向けた凹メニスカスレンズと、両凸レンズとから構成されるレンズ成分Ｌ５ｃ、とから構成される。
【００７６】
続いて、以下に実施例２に係る防振機能を有する望遠ズームレンズの諸元値を示す。
【００７７】
単位：mm
[面データ]
面番号     r         d          nd        vd
物面      ∞       (d0)
1    181.0491    2.5000    1.701540    41.15
2     73.6573    0.1500
3     72.5705    9.9823    1.437000    95.10
4   2114.1059    0.1000
5     91.7976    6.6779    1.437000    95.10
6    642.9812    0.1000
7     81.0829    7.5895    1.437000    95.10
8   1006.3342      d8
9    230.8788    5.3553    1.910820    35.25
10    -53.1657    1.0000    1.729160    54.67
11     38.5800    6.5365
12   -411.3711    1.0000    1.620410    60.34
13     40.4160    3.1857    1.846660    23.78
14    156.8529    3.0041
15    -37.4230    1.5000    1.834810    42.72
16    297.0089      d16
17  -1245.9744    2.8905    1.772500    49.62
18    -66.0719    0.1000
19    125.1214    3.0900    1.806100    40.73
20   -258.7242    0.9999    1.846660    23.78
21    140.2659      d21
22     78.3117    5.1313    1.761820    26.61
23    -34.4517    1.0000    1.846660    23.78
24    434.0933      d24
(絞り)     ∞      2.0000
26     35.8189    2.3683    1.729160    54.67
27     76.9171    0.6189
28     38.0003    5.7006    1.437000    95.10
29    532.4011    4.9729
30     71.9683    1.0000    1.806100    33.27
31     18.5755    4.4062    1.437000    95.10
32     95.8661    3.9984
33    -82.0551    2.6737    1.728250    28.32
34    -28.6996    0.9500    1.582670    46.42
35    117.4923    0.4774
36    113.5429    0.9500    1.568830    56.04
37     41.3415    2.4289
38     53.6270    3.5955    1.497000    81.61
39    -87.2530    6.0086
40    -23.4029    1.0000    1.785900    43.93
41    -33.6331    8.0659
42    120.1540    3.3931    1.805180    25.46
43   -206.7185   53.5506
44        ∞      1.4500    1.523014    58.59
45        ∞       (BF)
像面       ∞
[各種データ]
ズーム比  2.67
広角      中間       望遠
焦点距離     72.38    118.50     193.40
Fナンバー     4.07      4.07       4.07
全画角2ω    33.59     20.50      12.56
像高Y       21.63     21.63      21.63
レンズ全長  230.00    230.00     230.00
[可変間隔データ]
広角      中間       望遠
d0          ∞        ∞         ∞
d8       2.0000    25.1337    40.9887
d16      17.4710    12.8927     2.3244
d21      13.3592     5.8198    11.1856
d24      24.6685    13.6525     3.0000
BF       1.0000     1.0000     1.0000
d0    2752.8634  4549.9998  7252.7468
d8       2.0000    25.1337    40.9887
d16      18.2070    13.9837     4.2021
d21      12.6232     4.7288     9.3080
d25      24.6685    13.6525     3.0000
BF       1.0000     1.0000     1.0000
[レンズ群データ]
群        始面     焦点距離
L1          1       110.12
L2          9       -24.47
L3         17        86.39
L4         22       183.56
L5         26        99.94
L5a        26        83.64
L5b        33       -56.41
L5C        38        67.26
【実施例３】
【００７８】
図２３は実施例３に係る防振機能を有する望遠ズームレンズの広角端での無限遠合焦時におけるレンズ構成図である。
【００７９】
図２３の防振機能を有する望遠ズームレンズは、物体側から像側へ順に、広角端から望遠端へのズーミングの際に像面に対して固定の正の屈折力の第１レンズ群Ｌ１と、負の屈折力を有する第２レンズ群Ｌ２と、フォーカス時に像面側へ移動する正の屈折力を有する第３レンズ群Ｌ３と、正の屈折力を有する第４レンズ群Ｌ４と、開口絞りＳと、広角端から望遠端へのズーミングの際に像面に対して固定の正の屈折力の第５レンズ群Ｌ５とから構成される。
【００８０】
第１レンズ群Ｌ１は、物体側から像側へ順に、物体側に凸面を向けた凹メニスカスレンズと両凸レンズと、物体側に凸面を向けた凸メニスカスレンズと、物体側に凸面を向けた凸メニスカスレンズとで構成される。
【００８１】
第２レンズ群Ｌ２は、物体側から像側へ順に、両凸レンズと両凹レンズの接合レンズと、両凹レンズと物体側に凸面を向けた凸メニスカスレンズの接合レンズと、両凹レンズとで構成される。
【００８２】
第３レンズ群Ｌ３は、物体側から像側へ順に、両凸レンズと、それぞれ物体側に凸面を向けた凸メニスカスレンズと凹メニスカスレンズの接合レンズとから構成される。
【００８３】
第４レンズ群Ｌ４は、物体側から像側へ順に、物体側に凸面を向けた凸メニスカスレンズと、両凹レンズとから構成される。
【００８４】
第５レンズ群Ｌ５は、物体側から像側へ順に、物体側に凸面を向けた凸メニスカスレンズと、物体側に凸面を向けた凸メニスカスレンズと、それぞれ物体側に凸面を向けた凹メニスカスレンズと凸メニスカスレンズの接合レンズから構成されるレンズ成分Ｌ５ａと、それぞれ物体側に凸面を向けた凸メニスカスレンズと凹メニスカスレンズの接合レンズと、両凹レンズとから構成され、光軸と略垂直方向に動かすことで防振を行うレンズ成分Ｌ５ｂと、両凸レンズと、物体側に凹面を向けた凹メニスカスレンズと、物体側に凹面を向けた凸メニスカスレンズとから構成されるレンズ成分Ｌ５ｃ、とから構成される。これを光軸と略垂直方向に動かすことで防振を行うレンズ成分Ｌ５ｂと、両凸レンズと、物体側に凹面を向けた凹メニスカスレンズと、物体側に凹面を向けた凸メニスカスレンズとから構成されるレンズ成分Ｌ５ｃ、とから構成される。
【００８５】
続いて、以下に実施例３に係る防振機能を有する望遠ズームレンズの諸元値を示す。
【００８６】
単位：mm
[面データ]
面番号     r          d          nd         vd
物面      ∞        (d0)
1    414.0354    2.5000    1.701540     41.15
2     96.4766    0.1500
3     92.3170    9.5805    1.437000     95.10
4   -393.6637    0.1000
5    109.1221    6.2350    1.437000     95.10
6   3221.0085    0.1000
7     80.2251    6.5742    1.437000     95.10
8    311.0597      d8
9    808.4336    4.3971    1.910820     35.25
10    -64.5536    1.0000    1.729160     54.67
11     53.9517    4.1323
12   -244.3868    1.0000    1.620410     60.34
13     40.8965    3.3057    1.846660     23.78
14    144.1541    2.2884
15    -71.0758    1.5000    1.834810     42.72
16    134.3294      d16
17    112.5850    3.4401    1.772500     49.62
18    -93.9150    0.1000
19     77.5507    1.9501    1.806100     40.73
20    226.2442    1.0000    1.846660     23.78
21     57.4805      d21
22     53.6877    3.0490    1.806100     33.27
23  11899.3671    1.2626
24    -69.8420    1.0000    1.806100     33.27
25    245.6061      d25
(絞り)     ∞       2.0000
27     34.3914    2.8978    1.729160     54.67
28    133.1315    2.7671
29     65.9761    3.0522    1.437000     95.10
30    545.5508    0.1000
31     48.9249    1.0000    1.806100     33.27
32     19.3198    5.3659    1.437000     95.10
33   1213.7485    1.9538
34     45.4127    2.8385    1.805180     25.46
35    403.0614    0.9688    1.487490     70.45
36     22.0304    3.3525
37    -66.2653    0.9500    1.723420     37.99
38     58.9504    1.6944
39     40.5205    4.2176    1.497000     81.61
40    -61.3546    4.8536
41    -21.7863    1.0000    1.804200     46.50
42    -32.9753    7.9450
43   -174.4093    2.9507    1.805180     25.46
44    -62.1356   52.0488
45        ∞      1.4500    1.523014     58.59
46        ∞       (BF)
像面       ∞
[各種データ]
ズーム比    2.67
広角       中間      望遠
焦点距離        72.38     118.50    193.40
Fナンバー        4.10       4.10      4.10
全画角2ω       33.59      20.53     12.56
像高Y          21.63      21.63     21.63
レンズ全長     225.00     225.00    225.00
[可変間隔データ]
広角       中間      望遠
d0            ∞         ∞        ∞
d8          2.9111    29.0080   46.4986
d16         22.2087    15.0650    1.8472
d21         13.9544     8.1650   14.4619
d25         26.8531    13.6893    3.1197
BF          1.0000     1.0000    1.0000
d0       2752.8634  5152.8018 7252.7468
d8          2.9111    29.0080   46.4986
d16         23.2359    16.4086    4.3207
d21         12.9272     6.8214   11.9883
d25         26.8531    13.6893    3.1197
BF          1.0000     1.0000    1.0000
[レンズ群データ]
群           始面     焦点距離
L1             1       121.81
L2             9       -31.13
L3            17        87.09
L4            22      1270.03
L5            27        82.99
L5a           27        52.30
L5b           34       -37.00
L5C           39        62.77
【実施例４】
【００８７】
図３４は実施例４に係る防振機能を有する望遠ズームレンズの広角端での無限遠合焦時におけるレンズ構成図である。
【００８８】
図３４の防振機能を有する望遠ズームレンズは、物体側から像側へ順に、広角端から望遠端へのズーミングの際に像面に対して固定の正の屈折力の第１レンズ群Ｌ１と、負の屈折力を有する第２レンズ群Ｌ２と、フォーカス時に像面側へ移動する正の屈折力を有する第３レンズ群Ｌ３と、正の屈折力を有する第４レンズ群Ｌ４と、開口絞りＳと、広角端から望遠端へのズーミングの際に像面に対して固定の正の屈折力の第５レンズ群Ｌ５とから構成される。
【００８９】
第１レンズ群Ｌ１は、物体側から像側へ順に、物体側に凸面を向けた凹メニスカスレンズと両凸レンズと、物体側に凸面を向けた凸メニスカスレンズと、物体側に凸面を向けた凸メニスカスレンズとで構成される。
【００９０】
第２レンズ群Ｌ２は、物体側から像側へ順に、両凸レンズと両凹レンズの接合レンズと、両凹レンズと物体側に凸面を向けた凸メニスカスレンズの接合レンズと、両凹レンズとで構成される。
【００９１】
第３レンズ群Ｌ３は、物体側から像側へ順に、両凸レンズと、両凸レンズと両凹レンズの接合レンズとから構成される。
【００９２】
第４レンズ群Ｌ４は、物体側から像側へ順に、両凸レンズと、両凹レンズとから構成される。
【００９３】
第５レンズ群Ｌ５は、物体側から像側へ順に、両凸レンズと、物体側に凸面を向けた凸メニスカスレンズと、物体側に凸面を向けた凹メニスカスレンズと両凸レンズの接合レンズとから構成されるレンズ成分Ｌ５ａと、物体側に凹面を向けた凸メニスカスレンズと両凹レンズの接合レンズと両凹レンズで構成され、光軸と略垂直方向に動かすことで防振を行うレンズ成分Ｌ５ｂと、両凸レンズと、両凸レンズと、物体側に凹面を向けた凹メニスカスレンズ、両凸レンズとから構成されるレンズ成分Ｌ５ｃ、とから構成される。
【００９４】
続いて、以下に実施例４に係る防振機能を有する望遠ズームレンズの諸元値を示す。
【００９５】
単位：mm
[面データ]
面番号      r           d          nd        vd
物面       ∞         (d0)
1      292.7850     2.5000    1.701540    41.15
2       79.4410     0.1500
3       78.0664    11.4406    1.437000    95.10
4     -468.5825     0.1000
5       97.8156     7.3953    1.437000    95.10
6     2863.5618     0.1000
7       74.1194     9.1631    1.437000    95.10
8      767.6488       d8
9      399.1248     4.7375    1.910820    35.25
10      -44.7744     1.5000    1.729160    54.67
11       37.7014     3.5657
12    -1357.7876     1.5000    1.620410    60.34
13       30.1802     3.6366    1.846660    23.78
14       87.7882     3.7595
15      -33.5876     1.5000    1.834810    42.72
16      248.9224       d16
17      985.7739     3.6582    1.772500    49.62
18      -56.9618     0.1000
19      127.3017     3.8628    1.806100    40.73
20      -90.6993     1.5000    1.846660    23.78
21      222.5400       d21
22       79.3954     3.2315    1.806100    33.27
23     -199.3810     1.2128
24      -64.6628     1.5000    1.806100    33.27
25      462.1614       d25
(絞り)        ∞       2.0000
27       47.2818     4.6117    1.729160    54.67
28     -391.4784     0.1000
29       42.4742     4.0687    1.437000    95.10
30     1000.0000     1.0538
31     2720.4382     1.5000    1.806100    33.27
32       25.5348     5.2377    1.437000    95.10
33     -265.4720     3.2198
34     -125.2473     2.5071    1.805180    25.46
35      -42.0628     0.9500    1.516800    64.20
36       36.5645     2.3690
37     -122.1145     0.9500    1.698950    30.05
38      785.6236     2.2262
39      415.1531     2.5139    1.593490    67.00
40     -108.0688     0.2000
41      103.2590     4.0165    1.437000    95.10
42      -42.6358     1.4915
43      -33.0517     1.6269    1.785900    43.93
44      -75.3631     0.1500
45      123.5060     3.1269    1.805180    25.46
46     -185.8965    52.0499
47          ∞       1.4500    1.523014    58.59
48          ∞        (BF)
像面         ∞
[各種データ]
ズーム比   3.39
広角        中間       望遠
焦点距離      51.71       95.12     174.99
Fナンバー      2.92        2.92       2.92
全画角2ω     30.87       16.79       9.13
像高Y        14.20       14.20      14.20
レンズ全長   226.07      226.07     226.07
[可変間隔データ]
広角        中間       望遠
d0           ∞          ∞         ∞
d8         2.3760     28.2482     43.7201
d16        18.2194     12.9605      2.2396
d21        14.6240      5.9612     12.5740
d25        26.3144     14.3639      3.0000
BF         1.0000      1.0000      1.0000
d0      1965.5874   3679.1809   5178.5744
d8         2.3760     28.2482     43.7201
d16        18.8740     14.0197      4.6669
d21        13.9694      4.9020     10.1468
d25        26.3144     14.3639      3.0000  
BF         1.0000      1.0000      1.0000
[レンズ群データ]
群          始面       焦点距離
L1            1         103.01
L2            9         -21.17
L3           17          60.07
L4           22        2399.70
L5           27          69.26
L5a          27          61.72
L5b          34         -48.40
L5C          39          53.81
【実施例５】
【００９６】
図４５は実施例５に係る防振機能を有する望遠ズームレンズの広角端での無限遠合焦時におけるレンズ構成図である。
【００９７】
図４５の防振機能を有する望遠ズームレンズは、物体側から像側へ順に、広角端から望遠端へのズーミングの際に像面に対して固定の正の屈折力の第１レンズ群Ｌ１と、負の屈折力を有する第２レンズ群Ｌ２と、フォーカス時に像面側へ移動する正の屈折力を有する第３レンズ群Ｌ３と、正の屈折力を有する第４レンズ群Ｌ４と、開口絞りＳと、広角端から望遠端へのズーミングの際に像面に対して固定の正の屈折力の第５レンズ群Ｌ５とから構成される。
【００９８】
第１レンズ群Ｌ１は、物体側から像側へ順に、物体側に凸面を向けた凹メニスカスレンズと両凸レンズと、物体側に凸面を向けた凸メニスカスレンズと、物体側に凸面を向けた凸メニスカスレンズとで構成される。
【００９９】
第２レンズ群Ｌ２は、物体側から像側へ順に、両凸レンズと両凹レンズの接合レンズと、両凹レンズと物体側に凸面を向けた凸メニスカスレンズの接合レンズと、両凹レンズとで構成される。
【０１００】
第３レンズ群Ｌ３は、物体側から像側へ順に、両凸レンズと、両凸レンズと物体側に凹面を向けた凹メニスカスレンズの接合レンズとから構成される。
【０１０１】
第４レンズ群Ｌ４は、物体側から像側へ順に、両凸レンズと、両凹レンズとから構成される。
【０１０２】
第５レンズ群Ｌ５は、物体側から像側へ順に、両凸レンズと、物体側に凸面を向けた凸メニスカスレンズと、両凹レンズと両凸レンズの接合レンズとから構成されるレンズ成分Ｌ５ａと、物体側に凹面を向けた凸メニスカスレンズと両凹レンズの接合レンズと、物体側に凸面を向けた凹メニスカスレンズで構成され、光軸と略垂直方向に動かすことで防振を行うレンズ成分Ｌ５ｂと、両凸レンズと、両凸レンズと物体側に凹面を向けた凹メニスカスレンズとの接合レンズと、両凸レンズとから構成されるレンズ成分Ｌ５ｃ、とから構成される。
【０１０３】
続いて、以下に実施例５に係る防振機能を有する望遠ズームレンズの諸元値を示す。
【０１０４】
単位：mm
[面データ]
面番号       r           d          nd         vd
物面        ∞         (d0)
1       340.1475     2.5000    1.701540     41.15
2        80.0090     0.4305
3        78.9042    11.9252    1.437000     95.10
4      -370.3702     0.1000
5        95.9106     7.8574    1.437000     95.10
6     42992.8565     0.1000
7        72.6447     8.7118    1.437000     95.10
8       602.8157       d8
9       179.1826     5.0037    1.910820     35.25
10       -45.2679     1.5000    1.729160     54.67
11        36.5328     3.7179
12      -328.9453     1.5000    1.620410     60.34
13        33.6139     3.3858    1.846660     23.78
14       102.0903     3.6277
15       -32.6678     1.5000    1.834810     42.72
16       240.7956       d16
17      1321.3999     3.2248    1.772500     49.62
18       -66.3327     0.1000
19       244.1928     3.9377    1.806100     40.73
20       -63.6996     1.5000    1.846660     23.78
21     -1356.0458       d21
22        67.4538     3.5105    1.806100     33.27
23      -190.1368     0.9839
24       -70.5115     1.5000    1.806100     33.27
25       171.3354       d25
(絞り)         ∞       3.3095
27        61.4668     5.4848    1.729160     54.67
28      -117.0842     0.1000
29        40.2650     4.1408    1.437000     95.10
30      1000.0000     1.3020
31      -338.8538     1.5000    1.806100     33.27
32        27.3638     5.1461    1.437000     95.10
33      -146.9930     3.1756
34       -94.8536     2.4399    1.805180     25.46
35       -39.9122     0.9500    1.516800     64.20
36        38.7638     1.8921
37      4660.2216     0.9500    1.698950     30.05
38       113.0774     2.5498
39       254.5426     2.1866    1.593490     67.00
40      -417.1081     0.2000
41       145.1291     4.8341    1.437000     95.10
42       -27.2723     1.5000    1.785900     43.93
43       -72.8530     0.1500
44       103.1825     3.7989    1.805180     25.46
45      -151.3573    52.4479
46           ∞       1.4500    1.523014     58.59
47           ∞        (BF)
像面          ∞
[各種データ]
ズーム比     3.38
広角       中間        望遠
焦点距離     51.71      95.12      175.00
Fナンバー     2.92       2.92        2.92
全画角2ω    30.83      16.77        9.13
像高Y       14.20      14.20       14.20
レンズ全長  228.28     228.28      228.28
[可変間隔データ]
広角       中間        望遠
d0         ∞         ∞          ∞
d8       2.0203     27.1011     42.0012
d16      20.3194     14.3814      2.2687
d21      16.8305      6.4125     13.8843
d25      21.9841     13.2593      3.0000
BF       1.0000      1.0000      1.0000
d0    1965.5874   3679.1809   5178.5744
d8       2.0203     27.1011     42.0012
d16      21.0425     15.5659      5.0149
d21      16.1073      5.2280     11.1381
d25      21.9841     13.2593      3.0000
BF       1.0000      1.0000      1.0000
[レンズ群データ]
群        始面     焦点距離
L1         1        101.14
L2         9        -21.80
L3        17         64.55
L4        22       1653.48
L5        27         70.24
L5a       27         58.48
L5b       34        -47.62
L5C       39         57.03
【実施例６】
【０１０５】
図５６は実施例６に係る防振機能を有する望遠ズームレンズの広角端での無限遠合焦時におけるレンズ構成図である。
【０１０６】
図５６の防振機能を有する望遠ズームレンズは、物体側から像側へ順に、広角端から望遠端へのズーミングの際に像面に対して固定の正の屈折力の第１レンズ群Ｌ１と、負の屈折力を有する第２レンズ群Ｌ２と、フォーカス時に像面側へ移動する正の屈折力を有する第３レンズ群Ｌ３と、正の屈折力を有する第４レンズ群Ｌ４と、開口絞りＳと、広角端から望遠端へのズーミングの際に像面に対して固定の正の屈折力の第５レンズ群Ｌ５とから構成される。
【０１０７】
第１レンズ群Ｌ１は、物体側から像側へ順に、物体側に凸面を向けた凹メニスカスレンズと、両凸レンズと、物体側に凸面を向けた凸メニスカスレンズとから構成される。
【０１０８】
第２レンズ群Ｌ２は、物体側から像側へ順に、両凸レンズと両凹レンズの接合レンズと、両凹レンズと物体側に凸面を向けた凸メニスカスレンズの接合レンズと、両凹レンズとで構成される。
【０１０９】
第３レンズ群Ｌ３は、物体側から像側へ順に、両凸レンズと、両凸レンズと両凹レンズの接合レンズとから構成される。
【０１１０】
第４レンズ群Ｌ４は、物体側から像側へ順に、両凸レンズと、両凹レンズとから構成される。
【０１１１】
第５レンズ群Ｌ５は、物体側から像側へ順に、物体側に凸面を向けた凸メニスカスレンズと、物体側に凸面を向けた凸メニスカスレンズと、物体側に凸面を向けた凹メニスカスレンズと両凸レンズの接合レンズとから構成されるレンズ成分Ｌ５ａと、両凸レンズと両凹レンズの接合レンズと、物体側に凹面を向けた凹メニスカスレンズで構成され、光軸と略垂直方向に動かすことで防振を行うレンズ成分Ｌ５ｂと、両凸レンズと、物体側に凹面を向けた凹メニスカスレンズと、物体側に凹面を向けた凸メニスカスレンズとから構成されるレンズ成分Ｌ５ｃ、とから構成される。
【０１１２】
続いて、以下に実施例６に係る防振機能を有する望遠ズームレンズの諸元値を示す。
【０１１３】
単位：mm
[面データ]
面番号      r          d          nd         vd
物面       ∞        (d0)
1      55.8303     1.2500    1.883000     40.80
2      35.5503     0.1500
3      34.6137     6.2442    1.437000     95.10
4    -308.5105     0.1500
5      40.6103     4.1755    1.437000     95.10
6     530.3689       d6
7     313.5044     2.3048    1.903660     31.32
8     -29.3825     0.7500    1.697000     48.52
9      27.6595     2.9464
10     -72.9671     0.7500    1.743300     49.22
11      16.7698     2.1887    1.921190     23.96
12      51.5668     2.5280
13     -21.3834     0.7500    1.883000     40.80
14     149.1138       d14
15     341.6160     2.4943    1.772500     49.62
16     -26.5572     0.1000
17     116.7099     2.8203    1.806100     40.73
18     -27.8734     0.7500    1.846660     23.78
19    -456.5615       d19
20      53.1025     1.9887    1.800000     29.84
21     -93.7322     0.8965
22     -33.9353     0.7500    1.801000     34.97
23    4593.8274       d23
(絞り)      ∞       1.0000
25      25.0683     2.6762    1.743300     49.22
26      73.1270     0.1000
27      18.2519     3.2674    1.437000     95.10
28    1224.0524     1.2400
29      49.0297     0.7500    1.806100     33.27
30      11.2533     4.7129    1.437000     95.10
31    -111.5875     0.9439
32      58.6338     1.1644    1.805180     25.46
33    -201.5953     0.7000    1.516800     64.20
34      14.8753     2.2780
35     -27.9111     0.7000    1.698950     30.05
36     -92.0830     0.3775
37      44.1301     2.2883    1.593490     67.00
38     -40.1523     2.3051
39     -13.9588     0.7000    1.772500     49.62
40     -33.0660     3.1096
41     572.6889     2.3613    1.805180     25.46
42     -32.1104    25.2612
43         ∞       1.4500    1.523014     58.59
44         ∞        (BF)
像面        ∞
[各種データ]
ズーム比    2.67
広角       中間        望遠
焦点距離     36.20      59.25       96.69
Fナンバー     2.92       2.92        2.92
全画角2ω    33.43      20.48       12.57
像高Y       10.82      10.82       10.82
レンズ全長  125.25     125.25      125.25
[可変間隔データ]
広角       中間        望遠
d0          ∞         ∞          ∞
d6        1.2016    16.4691      26.8241
d14        5.1528     3.7044       1.1158
d19        6.5376     2.1104       3.4361
d23       19.9840    10.5921       1.5000
BF        1.0000     1.0000       1.0000
d0     1376.4317   2274.7506    3626.3734
d6        1.2016    16.4691      26.8241
d14        5.3751     4.0198       1.6056
d19        6.3153     1.7950       2.9463
d23       19.9840    10.5921       1.5000
BF        1.0000     1.0000       1.0000
[レンズ群データ]
群         始面     焦点距離
L1           1        67.38
L2           7       -11.36
L3          15        26.00
L4          20      1736.41
L5          25        43.59
L5a         25        30.54
L5b         32       -27.15
L5C         37        42.65
【実施例７】
【０１１４】
図６７は実施例７に係る防振機能を有する望遠ズームレンズの広角端での無限遠合焦時におけるレンズ構成図である。
【０１１５】
図６７の防振機能を有する望遠ズームレンズは、物体側から像側へ順に、広角端から望遠端へのズーミングの際に像面に対して固定の正の屈折力の第１レンズ群Ｌ１と、負の屈折力を有する第２レンズ群Ｌ２と、フォーカス時に像面側へ移動する正の屈折力を有する第３レンズ群Ｌ３と、正の屈折力を有する第４レンズ群Ｌ４と、開口絞りＳと、広角端から望遠端へのズーミングの際に像面に対して固定の正の屈折力の第５レンズ群Ｌ５とから構成される。
【０１１６】
第１レンズ群Ｌ１は、物体側から像側へ順に、物体側に凸面を向けた凹メニスカスレンズと両凸レンズの接合レンズと、物体側に凸面を向けた凸メニスカスレンズとから構成される。
【０１１７】
第２レンズ群Ｌ２は、物体側から像側へ順に、物体側に凹面を向けた凸メニスカスレンズと両凹レンズの接合レンズと、両凹レンズと物体側に凸面を向けた凸メニスカスレンズの接合レンズと、両凹レンズとから構成される。
【０１１８】
第３レンズ群Ｌ３は、物体側から像側へ順に、両凸レンズと、それぞれ物体側に凸面を向けた凸メニスカスレンズと凹メニスカスレンズの接合レンズとから構成される。
【０１１９】
第４レンズ群Ｌ４は、物体側から像側へ順に、両凸レンズと、両凹レンズとから構成される。
【０１２０】
第５レンズ群Ｌ５は、物体側から像側へ順に、両凸レンズと、両凸レンズと、両凹レンズと物体側に凸面を向けた凸メニスカスレンズの接合レンズとから構成されるレンズ成分Ｌ５ａと、それぞれ物体側に凸面を向けた凹メニスカスレンズと凸メニスカスレンズの接合レンズで構成され、光軸と略垂直方向に動かすことで防振を行うレンズ成分Ｌ５ｂと、両凸レンズと、物体側に凹面を向けた凹メニスカスレンズと、両凸レンズで構成されるレンズ成分Ｌ５ｃ、とから構成される。
【０１２１】
続いて、以下に実施例７に係る防振機能を有する望遠ズームレンズの諸元値を示す。
【０１２２】
単位：mm
[面データ]
面番号      r          d          nd         vd
物面       ∞        (d0)
1       69.7941    1.2500    1.800000     29.84
2       44.7687    6.4937    1.497000     81.61
3     -282.9232    0.1500
4       41.6991    4.0253    1.437000     95.10
5      184.2210      d5
6    -1348.4626    2.3062    1.910820     35.25
7      -36.5727    0.7500    1.729160     54.67
8       37.8096    1.7490
9     -210.3183    0.7500    1.620410     60.34
10       19.8053    2.0015    1.846660     23.78
11       44.4384    2.0120
12      -52.8767    0.7500    1.834810     42.72
13       60.1590      d13
14       72.9940    2.5261    1.772500     49.62
15      -50.3472    0.1000
16       63.2856    1.2470    1.806100     40.73
17      102.9857    0.7500    1.846660     23.78
18       39.3676      d18
19       32.4895    2.1239    1.806100     33.27
20    -1009.0968    1.1185
21      -41.6313    0.7500    1.806100     33.27
22      152.3439      d22
(絞り)       ∞       1.0000
24       22.4180    3.5056    1.743300     49.22
25    -3984.9373    0.1000
26       22.7342    5.5666    1.437000     95.10
27     -214.5646    0.5105
28     -184.5826    0.8374    1.806100     33.27
29       10.8853    3.7729    1.437000     95.10
30       62.9863    1.6782
31      161.7934    0.8000    1.548140     45.82
32       19.5132    1.2370    1.921190     23.96
33       23.7007    1.7146
34       64.3208    2.0363    1.593490     67.00
35      -40.1523    2.2999
36      -14.3591    0.7000    1.720470     34.71
37      -39.2374    2.0857
38     2074.6722    2.3804    1.921190     23.96
39      -30.1983   26.9511
40          ∞      1.4500    1.523014     58.59
41          ∞       (BF)
像面         ∞
[各種データ]
ズーム比   2.67
広角       中間        望遠
焦点距離      36.20      59.25       96.69
Fナンバー      2.92       2.92        2.91
全画角2ω     33.58      20.53       12.57
像高Y       10.82      10.82       10.82
レンズ全長   127.00     127.00      127.00
[可変間隔データ]
広角       中間        望遠
d0          ∞         ∞          ∞
d5        1.6368    15.7379      25.6087
d13       11.0561     7.9103       1.0835
d18        6.9891     4.3477       8.3285
d22       16.8388     8.5248       1.5000
BF        1.0000     1.0000       1.0000
d0     1397.9998  2262.9999    3663.0000
d5        1.6368    15.7379      25.6087
d13       11.7259     8.8709       2.6080
d18        6.3193     3.3871       6.8040
d22       16.8388     8.5248       1.5000
BF        1.0000     1.0000       1.0000
[レンズ群データ]
群         始面     焦点距離
L1           1        69.28
L2           6       -17.05
L3          14        54.46
L4          19       421.32
L5          24        41.18
L5a         24        44.93
L5b         31       -63.43
L5C         34        41.57
【０１２３】
また、これらの各実施例における条件式の対応値の一覧を示す。
【０１２４】
[条件式対応値]
条件式／実施例                1    2    3    4    5    6    7
(1)1.21＜|βb3t^2・(β3t^2-1)|＜6.50   2.56 2.60 1.97 2.23 1.97 5.00 1.57
(2)2.60＜|β3t|＜11.95                 3.94 2.83 4.89 7.18 6.90 9.20 3.17
(3)0.39＜|βb5b・(1-β5b)|＜2.34       1.20 1.19 1.80 1.20 1.20 1.20 0.51
(4)0.49＜|β2t|＜1.26                  0.96 1.02 1.10 1.13 1.22 0.64 1.06
(5)2.4＜ft/fw＜3.8                      2.7  2.7  2.7  3.4  3.4  2.7  2.7
【符号の説明】
【０１２５】
Ｌ１    第１レンズ群
Ｌ２    第２レンズ群
Ｌ３    第３レンズ群
Ｌ４    第４レンズ群
Ｌ５    第５レンズ群
Ｓ      絞り
ＬＰＦ  ローパスフィルター
Ｉ      像面
【図１】
0006402571.tif 000002
【図２】
0006402571.tif 000003
【図３】
0006402571.tif 000004
【図４】
0006402571.tif 000005
【図５】
0006402571.tif 000006
【図６】
0006402571.tif 000007
【図７】
0006402571.tif 000008
【図８】
0006402571.tif 000009
【図９】
0006402571.tif 000010
【図１０】
0006402571.tif 000011
【図１１】
0006402571.tif 000012
【図１２】
0006402571.tif 000013
【図１３】
0006402571.tif 000014
【図１４】
0006402571.tif 000015
【図１５】
0006402571.tif 000016
【図１６】
0006402571.tif 000017
【図１７】
0006402571.tif 000018
【図１８】
0006402571.tif 000019
【図１９】
0006402571.tif 000020
【図２０】
0006402571.tif 000021
【図２１】
0006402571.tif 000022
【図２２】
0006402571.tif 000023
【図２３】
0006402571.tif 000024
【図２４】
0006402571.tif 000025
【図２５】
0006402571.tif 000026
【図２６】
0006402571.tif 000027
【図２７】
0006402571.tif 000028
【図２８】
0006402571.tif 000029
【図２９】
0006402571.tif 000030
【図３０】
0006402571.tif 000031
【図３１】
0006402571.tif 000032
【図３２】
0006402571.tif 000033
【図３３】
0006402571.tif 000034
【図３４】
0006402571.tif 000035
【図３５】
0006402571.tif 000036
【図３６】
0006402571.tif 000037
【図３７】
0006402571.tif 000038
【図３８】
0006402571.tif 000039
【図３９】
0006402571.tif 000040
【図４０】
0006402571.tif 000041
【図４１】
0006402571.tif 000042
【図４２】
0006402571.tif 000043
【図４３】
0006402571.tif 000044
【図４４】
0006402571.tif 000045
【図４５】
0006402571.tif 000046
【図４６】
0006402571.tif 000047
【図４７】
0006402571.tif 000048
【図４８】
0006402571.tif 000049
【図４９】
0006402571.tif 000050
【図５０】
0006402571.tif 000051
【図５１】
0006402571.tif 000052
【図５２】
0006402571.tif 000053
【図５３】
0006402571.tif 000054
【図５４】
0006402571.tif 000055
【図５５】
0006402571.tif 000056
【図５６】
0006402571.tif 000057
【図５７】
0006402571.tif 000058
【図５８】
0006402571.tif 000059
【図５９】
0006402571.tif 000060
【図６０】
0006402571.tif 000061
【図６１】
0006402571.tif 000062
【図６２】
0006402571.tif 000063
【図６３】
0006402571.tif 000064
【図６４】
0006402571.tif 000065
【図６５】
0006402571.tif 000066
【図６６】
0006402571.tif 000067
【図６７】
0006402571.tif 000068
【図６８】
0006402571.tif 000069
【図６９】
0006402571.tif 000070
【図７０】
0006402571.tif 000071
【図７１】
0006402571.tif 000072
【図７２】
0006402571.tif 000073
【図７３】
0006402571.tif 000074
【図７４】
0006402571.tif 000075
【図７５】
0006402571.tif 000076
【図７６】
0006402571.tif 000077
【図７７】
0006402571.tif 000078